(57)【要約】      （修正有）【課題】  本発明は、同一スペースのガラス窓に快適な環境映像シミュレーションを使い、部屋に奥行きを感じさせたり、好みの場所にタイムスリップした様な情景に包み込まれる心理願望の実現化を提供する。【解決手段】  快適空間を映像シミュレーションで実在感を持たせる方法で、これには物の周囲の透明部分を明確する、透明なペットフイルムやガラス板やアクリ板等に印刷にて表現すると、透明部分が生き、それぞれに実在感が強調され立体感になり生活改善用品が出来る。快適な環境映像シミュレーションが出来上がる。なお、天井、壁等バックライトが使える、発光体の薄型のＥＬシートや発光ダイオード、また冷陰極蛍光灯等の発光体活用で新たな創作商品化が期待出来る。【選択図】  図１
2006248210.tif 000002
【特許請求の範囲】
【請求項１】
本発明文中での、映像とは（投影映像やＥＬシートテレビ等の受像映像、情景写真等の映像印刷物、絵画、アニメ、イラスト等の複製映像等）を以後「映像」と言う。各地のド−ム球場の天井を映像化、やテ−マパ−ク等の娯楽施設空間、またマンションや高層住宅等の積み重ね住宅の重圧感からの解放感を、天井に青空や満天の星空が見える、映像くり貫き天窓のイメ−ジが可能で、映像のバックライトは、高輝度、ＥＬシート（ＥＬＥＣＴＲＩＣ．ＬＵＭＩＮＥＳＣＥＮＣＥ）や発光ダイオード板等があり、冷陰極蛍光灯等薄型の発光体が使える。他にベランダ等の心地よい映像シミュレーションが楽しめる。もちろん、壁面にも映像で奥行きが出来広く感じる快適な映像シミュレーションが楽しめる。また、ビジネス界でも展示場スペースが狭くても必要商品の映像展示も可能、立体感溢れる壁面映像シミュレーションの実在感で賑わい感を演出できる。レストラン等で客席が多過ぎて、閑散店には模擬繁盛店戦略の客映像で更なる客を呼ぶ戦略が出来る。賑わい誘導映像シミュレーションのユーモラス編である。これ等は、人間の心理と視覚錯覚の応用である。尚ベランダやテラスの景色、又、超高層ビル展望台からの景色、山の頂上での景色、緑に被われた青い湖、手入れの行き届いた和風庭園、長旅でやっと着いた宿で眺めの良い部屋に通うされ思わず「わーいいなー」と言ってしまう、あの心地よい雰囲気や情景。その様な景色をそのまま自宅に持ち帰る。フイルム印刷裏面シール［図３］仕上げの映像の景色、約畳１枚分のサイズのフイルム映像を、仮に４枚ひと組［図４］の横広いシネマスコープ状の景色等を自宅マンション３階に住む人がベランダのガラス戸に張合せると、そこはもうハリウッドの大富豪が眺める、ペントハウス気分の心地よい部屋［図１］に早変り。実感映像シミュレーション空間の再現である。フイルム景色の遠い地平線を境に、空の部分は透明処理、いつもの室外の景色、青空が見え、鳥や雲が動いて見え現実の景色と映像とが融合した心地の良さを味わえる。これが人の視覚と錯覚、心の願望等が、そうありたいとの願いが手伝って満足度が上がる。この様なフィルム印刷上の映像景色と室外の景色との融合空間で立体感が創造の仕組みを使ったもの、壁面用は全面印刷もあるがバックライト応用で映像奥行きが広がる。ベランダはガラス戸に張るフイルム映像裏面シ−ル加工［図３］して、地震対策ガラスの飛散防止や防犯対策でガラスを破壊されにくくする付加機能もある、又同じ様な効果を素材自体に先加工された補強ガラス等に直接印刷加工等したもの、映像印刷部分だけを打ち抜いた特殊樹脂印刷加工物等、また透明部を普通のガラス等を使った応用物や。透明ガラスやプラスチック板等に直接印刷加工等された映像シミュレーションも同一範囲とする。設置スペースを取らないスペースをＺＥＲＯに近付けた表現方法とその製造方法。
【請求項２】
映像上で周囲を透明にする切抜き加工法［図２］で。植木や花束、飾り付けた生け花、豪華な家具や、壺等の高級調度品、ひなびたダンロ、自然界の猛獣、泳ぐ熱帯魚、舞台のダンサー、ウエートレス、食事中の客姿、重装備の警備員、昼寝中のブルドッグ、または、絵画の景色、アニメの風景や主人公、等身大の最新ロボット、リアルな料理等を、物体の輪郭を繊細に切抜き加工し、実物の周囲の透明部分が実在感を強調する。透明ガラス板や鏡板又は透明アクリ板等に直接印刷した物、発光体を使いアクリ等の透過・屈折照明法による照明加工物、他にフイルム映像を透明アクリ板等に挟み込加工又はアクリ板に直印刷し、設置スペースを取らないスペースをＺＥＲＯに近付けた表現方法とその製造方法。
【請求項３】
［請求項１］周囲の快適な環境映像シミュレーションと［請求項２］個々の物体、人、動物、魚類、植物、宇宙、料理、乗り物、鉱物、調度品、アニメの主人公達、魅力ある小道具類［図２］の２つの項の平面映像を見える様に直面的に並べ組合わせた映像群を融合させると、僅かな奥行き距離でリアルな立体感シミュレーション空間が出来る。その立体感効果が心地よい空間を生む。また、極寒地方で普通に使われる二重ガラス等の厚みで充分２面立体感が出せる。２面の画像を工夫すれば、無限の立体映像が可能。薄いスペースの創意で設置スペースをＺＥＲＯに近付けた表現方法とその製造方法。
【発明の詳細な説明】
【技術分野】
【０００１】    本発明は、人の日常生活に映像環境を取込んだ心地よい生活映像シミュレーション空間に関する。【０００２】    従来の映像活用は、紙に印刷された写真やポスターを壁にはるか、テレビ、ビデオ映像や映画館での観賞、時にはテーマパークで３Ｄは映像があるが、従来の３Ｄ映像等があるが。娯楽やニュースの様に生活の時間を裂いて見るものであった、立体映像等は暗室が絶対条件だったり、特種なメガネが必要だったり、再現機具や装置が必要だったりする。印刷物の３Ｄものは、見る角度かでボヤケたり、二重に見えたり、遊園地で膨大な設備投資を必要としたものでレジャーで出かける場所で見るものであった。本発明は、人間の持つ視覚本能を刺激するもので錯覚の産物とも言える。明室でふだん着の映像シミュレーションで生活圏そのものを映像化してしまう方法である。【０００３】    本発明は、心地よい空間映像シミュレーションを生活に取入れた。テレビ文化は映像画面側に視聴者が取込まれていたのと、丁度反対の人間の社会側に映像空間を引っ張込んで来た様なものである。【０００４】    本発明は、安価で壁面にポスターを貼る感覚で、又は、リホ−ム感覚で夢の様な世界へ、明室でふだん着の映像シミュレーションが可能で、自然光の場合は印刷物が変色するまで、現代のシンデレラ、マジックの生活映像シミュレーション空間と言える。【０００５】    本発明は、素材により、強度の高いペットフイルム等に印刷された映像と透明度の高い糊面シール部により、従来のガラス面に貼り合せると、割れ難い補強ガラスになり、地震時の飛散防止や泥棒による破壊を困難にし防犯グッズとしても役立。【０００６】    本発明は、従来のガラス面の透明度を活用する場合、透明に重点を置いた場合は、防災に関係なく映像が見え印刷面のみ残して、加工する処理法等、又何度も貼り剥がし出来る加工法により、映像の取替えを簡単にし変化を楽しむ方法等もあり。または地震対策や防犯対策は補強済みガラス板やプラスチック板等に直印刷加工法も可能。【０００７】    本発明は、素材その物に印刷したりフイルム映像を挟込み加工されたものも含まれる。
［本発が解決しようとする課題］【０００８】    従来は、物質中心で、心の豊かさを無視した。結果、住空間に物が溢れ、商店、飲食店、商業スペースが狭くなっていた、広く見せるのは鏡に反射させるくらいであった。【０００９】    本発明は、同一スペースの壁やガラス窓にこの快適な環境映像シミュレーションを使うと、部屋に奥行き感じたり、好みの場所にタイムスリップした様な情景に包込まれ、狭い部屋でもゆったりした里帰り気分だって出せる。あらゆる雰囲気を創り出せる。映画の様に未来宇宙空間でも創り出せる。お客に色々な夢実現を提供できる。心理願望の実現化である。イメージ、トレーニングの視覚支援法である。
［課題を解決するための手段］【００１０】    本発明は、前記の様な目的を達成する為に、ド−ム球場等の天井に青空を再現投影したり、プリント画像を張付けたり、高層住宅の居間の各天井に、薄形ＥＬシートや消費電力が安く着くの発光ダイオード、又は、令陰極蛍光灯等の使用等が考えられるが、天井の明かり取りのくり抜き天窓に青空や星空の景色が切換えて楽しむ事も出来る。【００１１】    さらに、ベランダやテラスの景色、又は、超高層ビル展望台の景色や山の頂上での景色、緑に被われた青い湖、手入れの行き届いた和風庭園、長旅でやっと着いた宿で眺める絶景の部屋に通うされ思わず「わーいいなー」とため息と共に言ってしまう、あの心地よい雰囲気や景色など。その様な景色をそのまま自宅に持ち帰る。ペットフイルム等でシート状に刷り上げられた、高画質の景色を、畳１枚を縦にした様なサイズのフイルムを、数枚ひと組の横広いシネスコ状のセット景色を、自宅マンション３階に住む人がベランダのガラス戸に張り合わせると。そこはもうハリウッドの大富豪が眺める、ペントハウス気分の部屋に早変り。快適環境を実感できる映像シミュレーション空間の再現である。【００１２】    上記は、ほんの一例だが。フイルム景色のバックの地平線を境に、上空部は透明な部分から成っていて、いつもの室外の自然な景色、青空が見え、鳥や雲が動いて見え本当に現実の様な居心地を味わえる。これが人の視覚と錯覚の応用で、この様なフィルム上に印刷された景色との融合空間で立体感を創り出す仕組みで加工したものである。【００１３】    さらに、印刷裏面シ−ル加工され、地震等でガラスの飛散防止や窃盗犯等のガラス等を破壊され難い様に付加した物、又同じ様な効果を素材に始めから加工された補強ガラス等の物に直接印刷加工等を付加した物、両面印刷又は片面印刷は用途により使い分ける。【００１４】    又は、印刷部だけを打ち抜いた印刷物、透明ガラス等に活用するもの。又は透明ガラスや鏡板や透明プラスチック板等に直接印刷加工した物、防災ものも同一範囲となる。【００１５】    写真等を切抜き加工マスキング法等で。植木や花束、飾り付けた生け花、豪華な家具や、壺等の高級調度品、ひなびたダンロ、自然界の猛獣、熱帯魚の泳ぐ水族館、舞台のダンサー、絵画の景色、アニメの風景、等身大の最新ロボット、リアルな料理等を、物体の輪郭を切抜き無視加工し、実物の周囲の透明部分が実在感を強調する方法。【００１６】    透明ガラス板や鏡板又は透明アクリ板等に材質に関係なく直接印刷したり、フイルム張付け加工したも、透明アクリ板等に挟み込加工し、薄いスペースで設置スペースをＺＥＲＯに近付けた表現方法とその製造方法。【００１７】    周囲風景や快適な映像シミュレーション空間と、個々の物体、人、動物、魚類、植物、宇宙、料理、乗り物、鉱物、調度品、アニメの主人公達、２種類以上のの平面映像を平行状に配列し組合わせると、リアルな立体感が心地よい映像シミュレーション空間が再現される。その立体感効果を範囲とする。【００１８】    また、極寒地方で普通に使われる二重ガラス等の厚み部で充分立体感が出せる。本発明は、２面の映像の空間を使えば、立体映像が可能で、また鏡面等を活用すると更に面白い効果を生み範囲は広がる。わずかな距離感でも、人は距離感を見抜き立体映像と感じる。映像により距離感は錯覚してくれる。例えば、宇宙の写真だと、測り知れない距離と自然に感じる立体感、この設置スペースをＺＥＲＯに近付けた表現方法とその製造方法。
［発明の効果］【００１９】    本発明は、映像で生活空間を包込むことで、人は周囲の環境を明室で気楽な映像シミュレーション空間で豊かな心理状態にまで再現できる。人間の視覚や錯覚を活用することで生活環境をクリエイトし、あらゆる映像社会で全く新しい今迄に無い、人に優しく暖かい快適な生活映像シミュレーション空間を提供できる。【００２０】    本発明は、近々開発される高輝度の、発光体、有機・無機ＥＬシート（ＥＬＥＣＴＲＩＣ．ＬＵＭＩＮＥＳＣＥＮＣＥ）また、発光ダイオード、冷陰極蛍光灯等を使うと目的の設置スペース取らないスペースＺＥＲＯのコンセプトを持つ計画は明かり窓薄型の発光体による。使われ方で、昼夜に関係なく地下室と言えども、ゆったりした癒し空間を創る事ができる。【００２１】    本発明は、人間の向上心と変化を求める願望心に支えられて、商品の進化は有っても需要は無くならない。ある時期が東ると、新たな生活環境に住んで見たくなる。子供がやがて青年に成る様に気持ちの変化が起こり、改善された商品の需要が始る。リピ−ト需要は必ず起こる。
［発明を実施するための最良の形態］【００２２】    本発明は、透明ペットフイルム等に印刷された景色や絵やイラスト等による一連の映像情景を、ガラス、ウインドー等にシ−ル貼り出来る印刷物である。ガラス戸１枚全面張りを基本とし、絵柄により２枚、４枚セット等［図４］の製品化出来る、明室の快適映像シミュレーション商品として市場に販売出来るのである。人間の視覚や錯覚を活用することで心地よい生活環境改善の映像用品である。【００２３】  生活環境改善映像用品としてクリエイトされ物に、この商品に付加価値として、地震対策・防犯対策用品として優れてる、更に従来物と違い防犯ベルやセンサ−コ−ド類を解らん様に映像内にセットし易く、コ−ド丸見え防犯グッズと一線を画す、ランクアップ商品である。【００２４】    本発明は、透明ガラス板や透明アクリ板等に直接印刷したり、フイルム加工したもを透明アクリ板等に挟み込加工［図２］した物、設置スペースをＺＥＲＯに近付けるをコンセプトにした商品で、スペースＺＥＲＯ商品である。【００２５】    本発明は、看板や家具、調度品、動物、植物、舞台情景、人物等を平面状に収め、高輝度のＥＬシートや発光ダイオード、また令極陰蛍光灯等の発光体で、薄さを求めた発光体による電飾効果看板やム−ド照明機具等の、透明が生かされた快適環境のスペースＺＥＲＯの色々な商品化が可能にある。【００２６】  例えば、水の要らない植木鉢、餌の要らない熱帯魚、昼寝の番犬、テレビ観戦のガードマン、暗がりのジャズメン達、など価値を産む情景スペースを、設置スペースＺＥＲＯに近付け、スペースを広く有効利用できる商品群である。【００２７】    本発明は、透明フイルム又は、透明ガラス板や透明アクリ板等直接印刷された別々の素材であっても、映像から自然に立体感が生まれる。これが本発明を実施するための最良の形態と言える。
【図面の簡単な説明】
【００２８】    ［図１］本発明のモデル・ルームの明室映像シミュレーション透視図。
［図２］［図１］の映像シミュレーション・ルーム内の小道具スペースＺＥＲＯ群の斜視図。
［図３］［図１］のガラス戸枠と同サイズの映像フイルムの構造斜視図。
［図４］ベランダ用等の４枚一組のトータル映像フイルムの例、正面図。
【符号の説明】
【００２８】    １、透明フイルム等印刷部。
２、透明フイルムの透明部。
３、アクリ板内のの印刷部。
４、アクリ卓上透明フイルム立部
５、アクリ間仕切透明フイルム立部
６、アクリ透明電飾看板部
７、ガラス戸部。
８、透明ガラス部。
９、フイルムのり部。
１０、シール剥離紙部。
１１、連続映像印刷部。
【図１】
2006248210.tif 000003
【図２】
2006248210.tif 000004
【図３】
2006248210.tif 000005
【図４】
2006248210.tif 000006